【事件の表示】
　特許第２９９１２０７号「遊技機の表示ユニット」の請求項１に係る特許に対する特許異議の申立てについて、次のとおり決定する。
【結　論】
　訂正を認める。
　特許第２９９１２０７号の請求項１に係る特許を取り消す。
【理　由】
１・手続の経緯
　特許第２９９１２０７号の請求項１に係る発明は、平成１年５月１６日に出願された特許出願（特願平１−１２１９９０号）の一部が平成７年６月２２日に特許法第４４条第１項の規定により新たな特許出願（特願平７−１８０８８７号）に分割され、当該新たな特許出願の一部が平成１０年１月２８日に同規定により新たな特許出願（特願平１０−１６１３２号）に分割され、当該新たな特許出願の一部が平成１１年２月９日に同規定により新たな特許出願（特願平１１−３１８３６号）に分割され、当該新たな特許出願の一部が平成１１年３月１１日に同規定により新たな特許出願（特願平１１−６５１７６号）に分割されたものであって、平成１１年１０月１５日にその特許権の設定登録がなされ、その後、菊地一夫、後藤俊雄、三島紘一よりそれぞれ特許異議の申立てがなされ、取消しの理由が通知され、その指定期間内である平成１３年１月２３日に訂正請求（後日取下げ）がなされた後、再度の取消しの理由が通知され、その指定期間内である平成１３年７月２７日に訂正請求がなされたものである。
２・訂正の適否についての判断
（１）訂正の内容
ア・訂正事項ａ
　「所定の図柄が表示されるディスプレイと、同ディスプレイと電気的に関連付けられた基板と、前記ディスプレイおよび前記基板に対するカバー部材とを備えた遊技機の表示装置ユニットであって、
　前記カバー部材には切り欠きが設けられ、かつこの切り欠きを介して前記基板とコネクタ接続されるようにしたことを特徴とする遊技機の表示装置ユニット」とある特許請求の範囲の請求項１の記載を、
「所定の図柄が表示されるディスプレイと、同ディスプレイと電気的に接続された基板と、前記ディスプレイおよび前記基板に対するカバー部材とを備えた遊技機の表示装置ユニットであって、
　前記カバー部材には切り欠き孔が設けられ、かつ前記基板に取り付けられたコネクタが前記切り欠き孔に嵌合されるとともに該切り欠き孔から突出されることで、この切り欠き孔を介して前記基板と外部とが前記コネクタによって接続されるようにしたことを特徴とする遊技機の表示装置ユニット」と訂正する。
イ・訂正事項ｂ
　明細書の段落【０００４】の記載について、「電気的に関連付けられた基板と、前記ディスプレイおよび前記基板に対するカバー部材とを備えた遊技機の表示装置ユニットであって、前記カバー部材には切り欠きが設けられ、かつこの切り欠きを介して前記基板とコネクタ接続される」とあるのを、
「電気的に接続された基板と、前記ディスプレイおよび前記基板に対するカバー部材とを備えた遊技機の表示装置ユニットであって、前記カバー部材には切り欠き孔が設けられ、かつ前記基板に取り付けられたコネクタが前記切り欠き孔に嵌合されるとともに該切り欠き孔から突出されることで、この切り欠き孔を介して前記基板と外部とが前記コネクタによって接続される」と訂正する。
（２）訂正の目的の適否、新規事項の有無及び拡張・変更の存否
　上記訂正事項ａは、発明を特定する事項である「電気的に関連付けられた基板と、前記ディスプレイおよび前記基板に対するカバー部材とを備えた遊技機の表示装置ユニットであって、前記カバー部材には切り欠きが設けられ、かつこの切り欠きを介して前記基板とコネクタ接続される」をこれに含まれる事項である「電気的に接続された基板と、前記ディスプレイおよび前記基板に対するカバー部材とを備えた遊技機の表示装置ユニットであって、前記カバー部材には切り欠き孔が設けられ、かつ前記基板に取り付けられたコネクタが前記切り欠き孔に嵌合されるとともに該切り欠き孔から突出されることで、この切り欠き孔を介して前記基板と外部とが前記コネクタによって接続される」に変更し、しかも、「コネクタが前記切り欠き孔に嵌合される」については、願書に添付された図面の【図５】に記載されているから、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張し、変更するものではない。
（３）むすび
　したがって、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
３・特許異議の申立てについての判断
（１）本件の請求項１に係る発明
　上記２・で示したように上記訂正が認められるから、本件の請求項１に係る発明（以下、「本件発明」という）は、上記訂正に係る訂正明細書の特許請求の範囲の請求項１に記載された事項により特定されるとおりのものである。（上記２・（１）ア・訂正事項ａ参照）
（２）引用刊行物に記載された発明
　当審が平成１３年６月５日に通知した、特許法第２９条第２項違反についての取消しの理由において引用した刊行物１ないし３には、それぞれ次のとおりの発明が記載されていると認められる。
ア・刊行物１：特開昭６２−１１７５７９号公報
　特に、第１の実施例の記載からみて、
「所定の数字が表示されるディジタル表示器２４０ａ，２４０ｂ、２４０ｃと、ディジタル取付板２５４とを備えた遊技機の可変表示装置２０６であって、
　前記ディジタル取付板２５４に設けられた中継端子２５８によって前記ディジタル取付板２５４と外部とが接続されるようにした遊技機の可変表示装置２０６」を構成とする発明（以下、「引用発明１の１」という）
及び
特に、第３の実施例の記載からみて、
「所定の数字が表示されるディジタル表示器３４４ａ，３４４ｂ、３４６と、基板と、前記ディジタル表示器３４４ａ，３４４ｂ、３４６および前記基板に対するカバー部材３７０とを備えた遊技機の入賞玉装置３０６であって、
　前記カバー部材３７０には切り欠き孔が設けられ、かつ前記基板に取り付けられた配線が該切り欠き孔から突出されることで、この切り欠き孔を介して前記基板と外部とが接続されるようにした遊技機の入賞玉装置３０６」を構成とする発明（以下、「引用発明１の２」という）。
イ・刊行物２：実願昭６１−１０１８４５号（実開昭６３−８０７６号）のマイクロフィルム
　特に、
（ア）図面第２図の記載から、
可変表示装置２０に、基板があるものと認められること、
（イ）図面第１ないし４図及び明細書第１３頁第５ないし１０行「被覆カバー６７の中央に配線接続用の開口６８が穿設されており、可変表示装置２０の裏面に形成された接続端子２０ａと制御回路基板８０とを直接、接続する配線を通すものである」の記載から、
被覆カバー６７は、セグメント表示器および基板に対しており、又、接続端子２０ａは、配線接続用の開口６８を介して前記基板と外部とを接続しているものと認められること、
からみて、
「所定の図柄が表示されるセグメント表示器と、基板と、前記セグメント表示器および前記基板に対する被覆カバー６７とを備えたパチンコ機の可変表示装置２０であって、
　前記被覆カバー６７には配線接続用の開口６８が設けられ、かつ前記基板に形成された接続端子２０ａがこの配線接続用の開口６８を介して前記基板と外部とが前記接続端子２０ａによって接続されるようにしたパチンコ機の可変表示装置２０」を構成とする発明（以下、「引用発明２」という）。
ウ・刊行物３：実願昭５８−１９９９５３号（実開昭６０−１０９６８２号）のマイクロフィルム
　特に、
（ア）明細書第９頁１８行ないし第１０頁第６行「蛍光表示パネル４１は、第７図に示すように、ガラス基板４１１に厚膜技術で形成した電極上に表示パターン状に蛍光体を特殊な方法で形成して陽極Ｐとなし、この陽極ＰとフィラメントＦとの間にグリッドＧを配置し、カバーガラス４１２で覆い、フリットガラス４１３で封着した構成となっている。４５はリード端子、４６はこのリード端子にハンダ付けされそれにより支持されたプリント基板」及び図面第３ないし７図の記載から、
プリント基板４６は、蛍光表示パネル４１と電気的に接続されているものと認められること、
（イ）明細書第１４頁第４ないし１２行「長い方のボス部４２４には、断面Ｌ字状の上部保護板４３をネジ止めし、その折り曲がり上辺４３１にて、プリント基板４６を被っている。これにより、プリント基板４６及び蛍光表示パネル４１の上辺は、集合樋１９内を落下して来る入賞球から保護されることになる。一方、短い方のボス部４２５には下部保護板４４がネジ止めしてあり、これにより蛍光表示パネル４１の下部が保護されている」及び図面第３ないし５図の記載から、
上部保護板４３および下部保護板４４は、蛍光表示パネル４１およびプリント基板４６に対しているものと認められること、
（ウ）図面第３ないし７図及び明細書第１０頁第６，７行「プリト基板にはコネクタ４８の付いたリード線４７がハンダ付けされている」の記載から、
上部保護板４３および下部保護板４４間に間隙が設けられ、かつプリント基板４６にハンダ付けされたリード線４７に取り付けられたコネクタが前記間隙から突出されているものと認められること、
（エ）コネクタによって、プリント基板４６と外部とが接続されることは自明であると認められること、
からみて、
　「所定の画像が表示される蛍光表示パネル４１と、同蛍光表示パネル４１と電気的に接続されたプリント基板４６と、前記蛍光表示パネル４１および前記プリント基板４６に対する上部保護板４３および下部保護板４４とを備えたパチンコ機の蛍光画像表示装置４０であって、
　前記上部保護板４３および下部保護板４４間には間隙が設けられ、かつ前記プリント基板４６にハンダ付けされたリード線４７を介して取り付けられたコネクタが前記間隙から突出されることで、この間隙を介して前記プリント基板４６と外部とが前記コネクタによって接続されるようにしたパチンコ機の蛍光画像表示装置４０」を構成とする発明（以下、「引用発明３」という）。
（３）対比・判断
　本件発明（前者）と引用発明３（後者）とを対比すると、
後者の
「画像」、「蛍光表示パネル４１」、「プリント基板４６」、「上部保護板４３および下部保護板４４」、「パチンコ機」及び「蛍光画像表示装置４０」
がそれぞれの機能に照らし、それぞれ
前者の
「図柄」、「ディスプレイ」、「基板」、「カバー部材」、「遊技機」及び「表示装置ユニット」
に相当するものと認められるから、
両者は、
「所定の図柄が表示されるディスプレイと、同ディスプレイと電気的に接続された基板と、前記ディスプレイおよび前記基板に対するカバー部材とを備えた遊技機の表示装置ユニットであって、
　前記カバー部材には基板に接続されたコネクタが突出する開部が設けられ、該開部を介して前記基板と外部とが前記コネクタによって接続されるようにした遊技機の表示装置ユニット」である、
点において一致し、
前者においては、開部がカバー部材に設けられた切り欠き孔であり、基板とコネクタとの接続がコネクタの基板への取り付けであり、コネクタと開部との関係が嵌合である、
のに対して、
後者においては、開部がカバー部材間の間隙、すなわち、２部材からなるカバー部材の部材間の間隙、であり、基板とコネクタとの接続が基板にハンダ付けされたリード線を介したものであり、コネクタと開部との関係が嵌合ではない、
点において相違するものと認められる。
　しかし、
引用発明２の
「セグメント表示器」、「被覆カバー６７」、「パチンコ機」、「配線接続用の開口６８」、「形成された」及び「接続端子２０ａ」
がそれぞれの機能に照らし、それぞれ
前者の
「ディスプレイ」、「カバー部材」、「遊技機」、「切り欠き孔」、「取り付けられた」及び「コネクタ」
に相当するものと認められるから、
引用発明２には、
「所定の図柄が表示されるディスプレイと、基板と、前記ディスプレイおよび前記基板に対するカバー部材とを備えた遊技機の可変表示装置２０であって、
　前記カバー部材には切り欠き孔が設けられ、かつ前記基板に取り付けられたコネクタがこの切り欠き孔を介して前記基板と外部とが前記コネクタによって接続されるようにした遊技機の可変表示装置２０」という構成、
すなわち、コネクタと開部との関係が嵌合であるか否かは明らかではないものの、上記相違点の前者の構成である、
「開部が切り欠き孔であり、コネクタが基板に取り付けられる」という構成、
が備わっているものと認められ、
又、
引用発明１の１の
「数字」、「ディジタル表示器２４０ａ，２４０ｂ、２４０ｃ」、「ディジタル取付板２５４」、「可変表示装置２０６」、「設けられた」及び「中継端子２５８」
がそれぞれの機能に照らし、それぞれ
前者の
「図柄」、「ディスプレイ」、「基板」、「表示装置ユニット」、「取り付けられた」及び「コネクタ」
に相当するものと認められるから、
引用発明１の１には、
「所定の図柄が表示されるディスプレイと、基板とを備えた遊技機の表示装置ユニットであって、
　前記基板に取り付けられたコネクタによって前記基板と外部とが接続されるようにした遊技機の表示装置ユニット」という構成、
すなわち、上記相違点の前者の構成の一部である、
「コネクタが基板に取り付けられる」という構成、
が備わっているものと認められ、
又、
引用発明１の２の
「数字」、「ディジタル表示器３４４ａ，３４４ｂ、３４６」及び「入賞玉装置３０６」
がそれぞれの機能に照らし、それぞれ
前者の
「図柄」、「ディスプレイ」及び「表示装置ユニット」
に相当するものと認められるから、
引用発明１の２には、
「所定の図柄が表示されるディスプレイと、基板と、前記ディスプレイおよび前記基板に対するカバー部材とを備えた遊技機の表示装置ユニットであって、
　前記カバー部材には切り欠き孔が設けられ、かつ前記基板に取り付けられた配線が該切り欠き孔から突出されることで、この切り欠き孔を介して前記基板と外部とが接続されるようにした遊技機の表示装置ユニット」という構成、
すなわち、上記相違点の前者の構成の一部である、
「開部が切り欠き孔である」という構成、
が備わっているものと認められる。
　したがって、引用発明２には，上記したように、コネクタと開部との関係が嵌合であるか否か明らかでない点を除き、上記相違点の前者の構成が、又、引用発明１の１及び引用発明１の２には、上記相違点の前者の構成の一部が、それぞれ備わっているものと認められる。
　そこで、コネクタと開部との関係について検討する。
　前者において、「コネクタが切り欠き孔に嵌合される」ことは、上記２・（２）に記したように、願書に添付された図面の【図５】に記載されているところである。
　しかし、「嵌合」、すなわち、「はめあい」、には、例えば、「すきまばめ」、「とまりばめ」、「しまりばめ」等の種類があり、願書に添付された図面の【図５】の記載だけによっては、前者における嵌合が、平成１３年７月２７日付け特許異議意見書第３頁第１２ないし１４行に記載された「カバー部材の切り欠き孔周辺部分によってコネクタが支えられ、コネクタに若干の負荷がかかっても断線等する等の不都合が生じることがない」という効果及び同頁第２１ないし２４行に記載された「本件特許発明では、コネクタが切り欠き孔に遊挿されるのではなく嵌合されていてコネクタに遊びが殆どないため、カバー部材によってコネクタが支えられる形となり、コネクタに加わる負荷によって容易にコネクタと基板との接続部分が断線する等の不都合がなくなる」という効果を奏する種類のものであると迄は到底認められない。
　それ故、種類の点は措くとして、「コネクタが切り欠き孔に嵌合される」こと自体、すなわち、「コネクタと開部との関係が嵌合である」こと自体、は、従来周知の技術的事項であり（必要ならば、実願昭５７−１４８７０２号（実開昭５８−１７００９７号）のマイクロフィルムの図面第１及び２図並びに明細書第４頁第５ないし１１行「ケース（１５）には開口部・・・（１６）・・・を設けており・・・開口部（１６）はコネクタ（３）に対応してある・・・コネクタ（３）は開口部（１６）から突出してもしなくてもよく」、実願昭６０−４７７４１号（実開昭６１−９８２９５号）のマイクロフィルムの図面第２，３及び５図並びに明細書第９頁第５ないし７行「コネクタ上部をケースの外部に突出させた状態で端子孔２，５に保持されている」、実願昭６１−１４５６４３号（実開昭６３−５１４９３号）のマイクロフィルムの図面第１及び２図並びに明細書第９頁第３ないし７行「プリント基板２０が第２図に示すようにキャビネット２内に配置され、コネクタ２７ｃ、２７ｄ及び２７ｆがそれぞれ開口部３６ｃ、３６ｄ及び３６ｆから外方へ突出される」を参照）、コネクタと開部との関係を嵌合とすることは、当業者が適宜採用し得る単なる設計事項にすぎない。
　したがって、上記相違点の前者の構成は、引用発明２に，その一部は、引用発明１の１及び引用発明１の２に、備わっているものと認められる。
　そして、後者も、引用発明２も、共に、遊技機の表示装置に関するものである以上、後者に、引用発明２を適用して、後者の「２部材からなるカバー部材の部材間の間隙」に代え、引用発明２の「カバー部材に設けられた切り欠き孔」を採用し、後者の「基板にハンダ付けされたリード線を介した基板とコネクタの接続」に代え、引用発明２の「基板へのコネクタの取り付け」を採用することは、当業者が格別創意工夫を要することではなく、又、「コネクタを開部に嵌合させること」は、当業者が適宜採用し得る単なる設計事項にすぎないというべきである。
　加えて、前者の効果が、後者、引用発明２、引用発明１の１及び引用発明１の２並びに従来周知の技術的事項の各効果の総和以上の格別なものとも認められない。
（４）むすび
　以上のとおり、本件発明は、上記引用発明１の１，引用発明１の２，引用発明２及び引用発明３並びに従来周知の技術的事項に基づいて当業者が容易に発明をすることができたものであるから、本件発明についての特許は、特許法第２９条第２項の規定に違反してされたものである。
　したがって、本件発明についての特許は、特許法第１１３条第２号に該当し、取り消されるべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月５日（２００１．１０．５）
【訂正の要旨】
訂正の要旨
ア・訂正事項ａ
　「所定の図柄が表示されるディスプレイと、同ディスプレイと電気的に関連付けられた基板と、前記ディスプレイおよび前記基板に対するカバー部材とを備えた遊技機の表示装置ユニットであって、
　前記カバー部材には切り欠きが設けられ、かつこの切り欠きを介して前記基板とコネクタ接続されるようにしたことを特徴とする遊技機の表示装置ユニット」とある特許請求の範囲の請求項１の記載を、特許請求の範囲の減縮を目的として、
「所定の図柄が表示されるディスプレイと、同ディスプレイと電気的に接続された基板と、前記ディスプレイおよび前記基板に対するカバー部材とを備えた遊技機の表示装置ユニットであって、
　前記カバー部材には切り欠き孔が設けられ、かつ前記基板に取り付けられたコネクタが前記切り欠き孔に嵌合されるとともに該切り欠き孔から突出されることで、この切り欠き孔を介して前記基板と外部とが前記コネクタによって接続されるようにしたことを特徴とする遊技機の表示装置ユニット」と訂正する。
イ・訂正事項ｂ
　明細書の段落【０００４】の記載について、「電気的に関連付けられた基板と、前記ディスプレイおよび前記基板に対するカバー部材とを備えた遊技機の表示装置ユニットであって、前記カバー部材には切り欠きが設けられ、かつこの切り欠きを介して前記基板とコネクタ接続される」とあるのを、明りょうでない記載の釈明を目的として、
「電気的に接続された基板と、前記ディスプレイおよび前記基板に対するカバー部材とを備えた遊技機の表示装置ユニットであって、前記カバー部材には切り欠き孔が設けられ、かつ前記基板に取り付けられたコネクタが前記切り欠き孔に嵌合されるとともに該切り欠き孔から突出されることで、この切り欠き孔を介して前記基板と外部とが前記コネクタによって接続される」と訂正する。
（５４）【発明の名称】
遊技機の表示ユニット
（５７）【特許請求の範囲】
　【請求項１】　所定の図柄が表示されるディスプレイと、同ディスプレイと電気的に
接続された
　前記カバー部材には切り欠き
孔
前記基板に取り付けられたコネクタが前記切り欠き孔に嵌合されるとともに該切り欠き孔から突出されることで、
孔
と外部とが前記コネクタによって接
【発明の詳細な説明】
　【０００１】
　【発明の属する技術分野】
　この発明はパチンコ機の表示装置に関するものである。
　【０００２】
　【従来の技術】
　従来、パチンコ機には特定の入賞口に入賞すると、表示装置の図柄（数字、文字、模様等）が変動し、停止時に特定の組合わせが得られた場合に大当たりとなる、いわゆるデジタルタイプと呼ばれるものがある。こうしたタイプのパチンコ機の表示装置は、７セグメントＬＥＤを３個並列させ、数字を三桁のデジタル表示としていたが、最近ではＬＥＤによるドットマトリクス型ディスプレイを組込んだ構成のものが多い。例えば、５×７のドット数を持つＬＥＤディスプレイパネルを３個並列させ、これによって各桁の数字等の図柄を表示するようにするものがあった。
　【０００３】
　【発明が解決しようとする課題】
　したがって、最近のものでも個々のディスプレイパネルに一つの数字等の図柄を表すのが限度であり、表示装置全体としても最大３つの図柄しか表示することができない。これでは、到底種々の文字との組合わせ表示を行ったり、あるいは特殊な模様等と組合わせて表示するようなことはできない。とりわけ大当たり時には自立った表示が望まれるのであるが、従来の構成による場合には表示領域が狭く、これが図柄の表現力に大きな制約となり、表示態様のバリエーションも少なくなって、面白みに今一つ欠けることとなっていた。そこで、本発明はより以上の興趣を遊技者に与えることができる表示装置を提供することを目的とするものである。
　【０００４】
　【課題を解決するための手段】
　以上の問題を解決するための本発明は、所定の図柄が表示されるディスプレイと、同ディスプレイと電気的に
接続された
孔
前記基板に取り付けられたコネクタが前記切り欠き孔に嵌合されるとともに該切り欠き孔から突出されることで、
孔
と外部とが前記コネクタによって接
　【０００５】
　【発明の作用及び効果】
　本発明によれば、カバー部材の内側にある基板はコネクタを介して外部の電源と接続が可能となる。
　【０００６】
　【０００７】
　【発明の実施の形態】
　以下、本発明を具体化した実施の形態例を図面にしたがって詳細に説明する。まず、表示装置が適用されるパチンコ機について説明する。パチンコ機の正面を示す図３において、パチンコ機１の前面枠２には、金枠３、ガラス４、ガラス扉枠５、さらには前面板６等がそれぞれ取付けられている。この前面板６の正面側には景品球を貯留しかつ打球を発射位置に供給するための上皿７が取付けられている。また、前面板６の下方には操作ハンドル８および上皿７に貯留された球のオーバーフロー分を貯留する下皿９が取付けられている。前述の前面枠２にはその裏面側から遊技盤１０が着脱可能に取付けられているが、その取り付けの詳細については後述する。
　【０００８】
　遊技盤１０には各種の入賞口が配置されており、その内の１１〜１５は普通入賞口であるが、１６〜１８は始動口であり、ここへ入賞すると表示装置１９が図柄の可変表示をスタートさせる。そして、一定時間後に停止した際に所定の組合わせが得られていれば、大入賞口２０はその組合わせに応じて開放時間等が制御されるようになっている。具体的には、図２（ａ）に示すように、表示装置１９が中央部分にすべて「７」を表示した場合には、大当たりとなって、大入賞口２０を３０秒経過するまで、あるいは１０個の入賞球が発生するまで開放するようになっている。
　【０００９】
　また、大入賞口２０内の中央部にはＶ入賞口２１が設けられており、このＶ入賞口２１へ入賞したときには、再度大入賞口２０が３０秒または１０個の入賞球が発生するまで開放し、このような動作をＶ入賞口２１に入賞球が入賞する限り最高１０回まで繰り返すことができるようになっている。こうした大当たり時において、大入賞口２０への入賞個数およびＶ入賞口２１への入賞に伴う大入賞口２０の開口回数は図２（ｂ）に示すようにして表示装置１９の上段の左右にデジタル表示される。これについては、さらに後述する。
　【００１０】
　また、遊技盤１０には複数のランプ２２〜２７が配設されていて、これらは始動口１６〜１８への入賞に伴って点滅するもの（動作ランプ２２，２４，２７）、あるいは大当たり時に点滅するもの（パニックランプ２３，２５）、さらにはＶ入賞口２１への入賞に伴って点滅するもの（Ｖランプ２６）といったように、予め設定された組合わせにしたがって点灯制御される。なお、２８はアウト口である。
　【００１１】
　遊技盤１０の裏面側には入賞球集合保護板２９が着脱自在に装着されている。この入賞球集合保護板２９は遊技盤１０上の各種入賞装置や装飾装置からの電気配線を収納して保護する役割を果すものである。但し、入賞球集合保護板２９は各種入賞装置から遊技盤１０の裏側へ排出された入賞球の各通路を覆うことができる程度の大きさに形成されている。
　【００１２】
　ここで、図４によって遊技盤１０の取付け方法について説明すると、前面枠２の裏面には遊技盤取付け枠３０が固定されており、遊技盤１０はここに着脱自在に取付けられる。すなわち、遊技盤取付け枠３０の適所にはピン３１ａ〜３１ｄが突出されており、これらを遊技盤１０側の対応位置に貫通された貫通穴３２ａ〜３２ｄに差し込んだ後、遊技盤１０の裏面側に開閉可能に支持された機構板３３に付設された固定具３４ａ〜３４ｄ（３４ｄは図示省略）へ係合させかつこれらを締付けることによって、前面枠２に対し遊技盤１０と機構板３３とが同時に締付け固定される。
　【００１３】
　機構板３３における遊技盤１０との対向面には入賞球集合凹部３５が凹設されており、遊技盤１０側の入賞球集合保護板２９がここに位置するようになっている。すなわち、この凹部３５は遊技盤１０よりは小さく形成されるものの、入賞球集合保護板２９よりは大きめに形成されている。また、その深さは入賞球集合保護板２９の奥行き幅よりも若干深めに設定されている。また、入賞球集合凹部３５の中央部には窓部３６が開口しており、この窓部３６は入賞球集合保護板２９より若干小さめに形成されている。
　【００１４】
　そして、入賞球集合凹部３５の下縁は下向き勾配となって入賞球集合樋３７を形成しており、入賞球集合保護板２９の下縁の開口部から落下してくる各種入賞装置からの入賞球を入賞球処理器３８へと誘導する役割を果している。なお、図示はしないが機構板３３の裏面には入賞に応じて所定個数の景品球を払い出すための公知に係る装置類が装着されている。
　【００１５】
　次に、表示装置１９について説明する（図３、図５乃至図９参照）。表示装置１９はケーシング３９と、装着基板４２と、この装着基板４２をケーシング３９とによって挟みつけるカバー部材４３とからなっており、全体として表示装置ユニットを構成している。
　【００１６】
　ケーシング３９の前面には遊技盤１０に対する取付け基板４４がフランジ状に張出し形成されている。そして、その両肩部からは左右両方向へ腕部４５が延出し、それらの端部および取付け基板４４の下側の両コーナにそれぞれ風車４６ａ〜４６ｄが取付けられている。また、取付け基板４４の中央には表示窓４７が方形状に開口している。この表示窓４７の下部中央はさらにこれと連通する凹みとなって、後述する記憶個数表示部５２におけるランプホルダー５６を組込むための組込み用凹部５２ａが形成されている。そして、前記表示窓４７には裏面側から合成樹脂よりなる無色透明のスクリーンプレート４８が組み込まれているが、このスクリーンプレート４８は表面側に所定高さの枠５９を有しており、この枠５９を表示窓４７の開口縁に形成されたストッパ縁４７ａに押し当てることにより、スクリーンプレート４８はこの枠５９の高さ分だけ表示窓４７に対し奥へ引っ込んだ状態で組み込まれる。そして、スクリーンプレート４８の奥には後述するＬＥＤディスプレイパネル４０ａ〜４０ｄが配置されており、これらパネル４０ａ〜４０ｄとスクリーンプレート４８との間にはスクリーンプレート４８とほぼ同じ大きさに形成されたカラープレート５７が介在されている。本実施形態では隙間調整の関係から３枚のカラープレート５７を介在している。また、そのうちの１枚は無色で、他の２枚は赤色のものが使用されていて、ＬＥＤディスプレイパネル４０ａ〜４０ｄ上に表示される図柄に付される色の調整が図られている。
　【００１７】
　一方、前記組込み用凹部５２ａには記憶個数表示部５２が配置されており、この記憶個数表示部５２は透光性を有しない樹脂材料にて形成されたランプホルダー５６と、装着基板４２に取付けられた４個のＬＥＤランプ４１ａ〜４１ｄとよりなっている。これらランプ４１ａ〜４１ｄはランプホルダー５６の立ち壁部分に並列して貫通された４個の孔５６ａ〜５６ｄにそれぞれ収納されている。そして、始動口１６〜１８への入賞に伴う図柄可変処理の保留回数（最高４回まで）を表示するために、その回数分に対応した数だけランプ４１ａ〜４１ｄを点灯させるようになっている。
　【００１８】
　表示窓４７における開口縁の上半分の範囲には遮光壁４９が立設され、かつその上部中央にはランプハウジング５０が形成されている。このランプハウジング５０の上面はここに落下したパチンコ球を取付け基板４４の上部に開口する入賞口１１へ導くような凹み形状となっている。この入賞口１１の裏側には上向きのコの字状に形成された誘導片５１が突出している。
　【００１９】
　一方、取付け基板４４の裏面には表示窓４７および記憶個数表示部５２を取囲む全範囲に亘って、後面周壁５３が枠状に立設されている。この後面周壁５３は上記誘導片５１の下方に所定の間隙を保有して配置されており、この間隙を利用してランプハウジング５０内に組込まれる左右一対のランプ５４（図９には一方側のみを示す）が取付けられたランプ保持板５５が取着されている。
　【００２０】
　なお、前記カラープレート５７の背面より後面周壁５３の開口縁に至るまでの後面周壁５３の深さは、次述する装着基板４２のＬＥＤディスプレイパネル４０ａ〜４０ｆ等の取付け高さとほぼ等しくあるいはそれよりも若干深目に設定されている（図９参照）。
　【００２１】
　装着基板４２は上記後面周壁５３に整合され、後面周壁５３へビスによって締着される。図７に示すように、装着基板４２の表面において、その下縁寄りの位置には、前述した４個のＬＥＤランプ４１ａ〜４１ｄが並列に取り付けられ、その上側には計６個のＬＥＤディスプレイパネル４０ａ〜４０ｆが、横方向に３個、縦方向に２段の配置となって、これらを相互に密着するように寄せ集めて装着されている。このように、ＬＥＤディスプレイパネルが通常では３個横並びの配置であるのに対し、本実施形態ではさらにもう一段追加された上下二段の配置となっており、これによって表示領域が拡大されかつ連続した表示領域となっている。そして、これらは装着基板４２のケーシング３９側への取付けに伴って後面周壁５３の内部に収納される。
　【００２２】
　なお、本実施形態におけるＬＥＤディスプレイパネル４０ａ〜４０ｆは、それぞれ８×８個のＬＥＤチップをマトリクス状に配線された基板上にボンディングしたものが使用されている。
　【００２３】
　一方、装着基板４２の裏面側には各ＬＥＤディスプレイパネル４０ａ〜４０ｆあるいは記憶個数表示部用の各ＬＥＤランプ４１ａ〜４１ｄについてのコネクタ６０が取付けられていて、図１０に示すようなマイクロコンピュータによって構成される制御機器と電気的に接続される。
　【００２４】
　カバー部材４３は装着基板４２を保護する役割を果たすものであり、上記コネクタ６０に対応した部分には逃し孔６１が開口している。また、誘導片５１に対応した部分を除くほぼ全周に側壁６２を有しており、装着基板４２を挟み込んだ状態でケーシング３９側へビスによって締着される。また、カバー部材４３の上部中央は誘導片５１とほぼ同幅でもって当て板５８が起立し、その内面には誘導片５１と連続しここからのパチンコ球を受入れて外部へ排出する排出流路６３が斜め下向きに形成されている。
　【００２５】
　上記のように構成された表示装置ユニットを遊技盤１０に装着した状態においては、コネクタ６０は一部が入賞球集合保護板２９に形成された通し孔（図示しない）を通して露出し、外部と接続できるようになっているが、接続用のピン６０ａの折損を防止するために、これらピン６０ａの先端は入賞球集合保護板２９とほぼ面一をなして外部に露出しないようになっている（この点については図示省略する）。
　【００２６】
　次に、本実施形態のパチンコ機の電気的構成を図１０によって簡単に説明すると、制御機器はディジタル演算処理を行うＣＰＵ６４とプログラムおよび固定データを記憶するＲＯＭ６５と、演算処理の結果等を記憶するＲＡＭ６６等を主要部とするマイクロコンピュータで構成されている。そして、ＲＯＭ６５に記憶されたプログラムにしたがって、波形整形回路６７を介しての入賞検出スイッチ６８、大入賞口入賞検出スイッチ６９、Ｖ入賞検出スイッチ７０からの信号、あるいはリセット信号発生回路７１を介しての起動スイッチ７２からの信号等を入力情報としてＣＰＵ６４に取り込み、ＬＥＤディスプレイパネル４０ａ〜４０ｆに対する所定の図柄表示、各種ランプ２２〜２７の点灯、記憶個数表示用ＬＥＤランプ４１ａ〜４１ｄの点灯等の制御を行う。
　【００２７】
　すなわち、マイクロコンピュータの各出力ポートには、表示装置駆動回路７３、表示装置選択回路７４、ドライバ７５が接続されている。表示装置駆動回路７３、表示装置選択回路７４には、前記各ＬＥＤディスプレイパネル４０ａ〜４０ｆ、記憶個数表示部５２におけるＬＥＤランプ４１ａ〜４１ｄが接続されている。そしてＬＥＤディスプレイパネル４０ａ〜４０ｆおよびＬＥＤランプ４１ａ〜４１ｄ等よりなる表示装置１９では、マイクロコンピュータから出力される表示データに基づいて、所定の表示がなされるようになっている。具体的には図１に示すように、スロットルマシンのドラムの回転を模して、常には図柄（数字あるいは所定の模様）が、表示装置１９のディスプレイ上に３桁表示され、さらに各桁の上下にそれぞれ上半分あるいは下半分の図柄が表示されるようになっている。また、これら図柄は始動口１６〜１８への入賞に伴って各桁毎に所定の速度で縦方向へ読取り不能な速度でスクロールしてゆく。本実施形態において表示される図柄は、図１において左側の桁のもののみが０〜９の数字を表示し、中央のものおよび右側の桁のものは、共に０〜９の数字に加え、ワイングラスをあしらった模様を５種類（中に入れられているワインの量に応じてこれを５段階に表示したもの）が設定してある。そして、所定時間経過した時点でそれぞれが順次停止し、この場合の中央部分の表示が当たりモードであれば、図２（ａ）に示すような大当たり表示を行う。この場合は中央部分のすべてに「７」の点滅表示を所定時間行い、その後図２（ｂ）に示すような上下２段の表示に切替えられる。すなわち、図の例では、上段の左の数字はＶ入賞口２１への入賞による大入賞口２０への開放継続回数を表示し（図２（ｂ）の例では、現在が３ラウンド目にあることを表示）、中央の数字は大当たり表示である「７」の点滅表示を行い、右の数字は大入賞口２０への入賞個数（現在は４個目が入賞したことを表示）をそれぞれ表示している。そして、下段は「大当たり！，ＧＯ！ＧＯ！」の文字を右から左へスクロールさせながら表示するような設定となっている。
　【００２８】
　なお、ドライバ７５はマイクロコンピュータからの信号に応じて大入賞口２０の開閉制御および各種ランプ２２〜２７の点灯動作を制御する。また、本実施形態において使用されたフォントは、ディスプレイ上に上下２段、正規の状態で表示できる設定のものとなっている。
　【００２９】
　上記のように構成された本実施形態のパチンコ機では、ＬＥＤディスプレイパネル４０ａ〜４０ｄを横方向については３個、縦方向については２段に配置している。つまり、縦方向に関しては通常に比べて倍の数のＬＥＤを配したため、従来より図柄表示区域が倍の面積に拡大している。したがって、従来では数字が各ＬＥＤディスプレイパネル毎にその場で変動する表現しかなし得なかったのに対し、本実施形態では図柄を縦方向へスクロールさせることができ、これによってスロットルマシンにおけるスロットルの回転を表すような表示（図１に示すように中央部分には図柄全体を、その上側の部分および下側の部分はそれぞれ上半分および下半分を表示する）も可能となる。また、図２（ａ），（ｂ）に示すような大当たり時においても、表示装置１９に表される数字や文字を上下二段に表示するなど、多彩な表示によって大当たり状態の表現方法の多様化が図られている。さらに、本実施形態では市販されている８×８ドットのＬＥＤディスプレイパネルを用い、これらを６個組合わせることによって、表示領域の拡大を図ったため、１枚の大きなディスプレイパネルを特別に用意する必要がない利点もある。
　【００３０】
　こうした効果に加え、本実施形態の表示装置ユニットでは装着基板４２およびカバー部材４３がケーシング３９の取り付け基板４４の投影面積の範囲内に収まっているため、表示装置ユニットを遊技盤１０の前面から取り付けることができるため組み付け作業性に優れる、という効果が得られる。さらに、表示装置１９内の装着基板４２がカバー部材４３によって覆われており、僅かにコネクタ６０の一部が突出するだけであるため、表示装置ユニット自体の保管、輸送あるいは組み付け作業の際の損傷を未然に防止する、という効果もある。さらに表示装置ユニットは、カバー部材４３の裏面に接続されるコネクタ６０等が入賞球集合保護板２９との間に所定の隙間を保有した状態で組付けがなされるため、入賞球集合保護板２９に凹部を形成して干渉の回避を図る必要もない、という効果も得られる。
【図面の簡単な説明】
　【図１】本実施形態の表示装置の正面図である。
　【図２】（ａ）は大当たり時の表示状態を示す正面図であり、（ｂ）は大当たりの際に、１０カウントおよび継続回数が表示されている状態を示す正面図である。
　【図３】パチンコ機の正面図である。
　【図４】遊技盤を取り外した状態におけるパチンコ機の背面側から見た分解斜視図である。
　【図５】表示ユニットを裏面側から見た斜視図である。
　【図６】表示ユニットのケーシングを示す斜視図である。
　【図７】表示ユニットの装着基板を示す斜視図である。
　【図８】表示ユニットのカバー部材を示す斜視図である。
　【図９】表示装置を遊技盤に取り付けた状態を示す縦断面図である。
　【図１０】パチンコ機の電気的構成を示すブロック図である。
　【符号の説明】
　１…パチンコ機
　１９…表示装置
　４０ａ〜４０ｄ…ＬＥＤディスプレイパネル
　４７…表示窓